(57)【要約】【課題】  従来技術よりも更に安全性に優れた画鋲を提供する。【解決手段】  以下の要件（１）〜（４）を具備する、二個の画鋲を連結させた画鋲組立体。（１）前記画鋲１０は、押圧面を形成する第一の面１０２と、針を突出させる第二の面１０６と、前記第一の面と第二の面とを連結する胴部１０８とを備える。（２）前記胴部は、他方の針を収納する収納部１１０をさらに有する。（３）前記二個の画鋲は、前記第一の面、第二の面および胴部からなる群から選択された部分の少なくとも１箇所に、凹部または凸部１１２，１１２’を備え、前記収納部の位置の把握を容易せしめる。（４）一方の画鋲の胴部の収納部に、他方の画鋲の針を収納することにより、前記画鋲組立体が形成される。【選択図】図１
2010260326.tif 000002
【特許請求の範囲】
【請求項１】
以下の要件（１）〜（４）を具備する、二個の画鋲を連結させた画鋲組立体。
（１）前記画鋲は、押圧面を形成する第一の面と、針を突出させる第二の面と、前記第一の面と第二の面とを連結する胴部とを備える。
（２）前記胴部は、他方の針を収納する収納部をさらに有する。
（３）前記二個の画鋲は、前記第一の面、第二の面および胴部からなる群から選択された部分の少なくとも１箇所に、凹部または凸部を備え、前記収納部の位置の把握を容易せしめる。
（４）一方の画鋲の胴部の収納部に、他方の画鋲の針を収納することにより、二個の画鋲が連結し、前記画鋲組立体が形成される。
【請求項２】
前記収納部は、前記第二の面から胴部の内部にかけて設けられている請求項１に記載の画鋲組立体。
【請求項３】
前記収納部は、前記第二の面の端部および胴部の端部に設けられ、外側周囲方向に向かって開放されている請求項１に記載の画鋲組立体。
【発明の詳細な説明】
【技術分野】
【０００１】  本発明は、二個の画鋲を連結させた画鋲組立体に関する。
【技術背景】
【０００２】  画鋲は古くから日常的に使用されてきた文房具である。約３０年ほど前までは針の片側に押圧部としてディスクが設置されている構造のものが使用されていたが、この構造は誤って床等に落とした際にディスク面が床と平行に着地することが多く、この場合針は垂直に上を向き危険な状態を醸し出す。このため、誤って床等に落とした際にも、針が上を向くことのないよう押圧部の形状に工夫が加えられた画鋲が現在の主流になっている（従来技術１）。
【０００３】  図５は、従来技術１の画鋲を説明するための斜視図である。図５において、画鋲４０は、押圧面を形成する第一の面４０２と、第一の面４０２に対し直交方向に針４０４を突出させる第二の面４０６と、第一の面４０２と第二の面４０６とを連結する胴部４０８とを備えてなる。
【０００４】  上記とは別に、押圧したときにのみ針が突出する工夫が施された画鋲も提案されている（従来技術２。特許文献１参照）。
【０００５】  しかしながら、従来技術１および２の何れにおいても、画鋲をポケットに入れて持ち歩くことは安全面で問題がある。従来技術１による場合は突出している針が衣類を貫通し身体に達する危険がある。また、従来技術２による場合でも、例えば画鋲をズボンの後部ポケットに入れて着席した場合、ポケット内部には圧力がかかり針が突出し、衣類を貫通する恐れがある。
【０００６】  特許文献２には、一対の画鋲を含んでなり、該画鋲はそれぞれ頭部と、該頭部上に互いに接続する接続面を具えてなり、該接続面上には中心に中心点を具えてなり、一対の画鋲の接続面の偏った位置にそれぞれ頭部から外方向に延伸した針部と、接続面上から頭部の内部に向けて延伸した挿入孔を具えてなり、該挿入孔を互いの針部に対応させて針部を挿入して収納することができる構造からなることを特徴とする画鋲の連結体が開示されている。
図６〜７は、特許文献２に記載の画鋲の連結体を説明するための斜視図である。
図６において、画鋲５０は、上記の従来技術１と同様に、押圧面を形成する第一の面５０２と、第一の面５０２に対し直交方向に針５０４を突出させる第二の面５０６と、第一の面５０２と第二の面５０６とを連結する胴部５０８とを備えてなり、さらに、胴部５０８は、第二の面５０６を介して他方の針を収納する収納部５１０をさらに有している。
そして図７（ａ）に示すように、画鋲５０，５０’の針５０４，５０４’を対向させ、互いの収納部５１０に針５０４，５０４’を挿入することにより、図７（ｂ）に示すように連結体が形成される。
しかしながら、この特許文献２の技術では、互いの収納部５１０に針５０４，５０４’を挿入することが例えば子供や老人にとっては困難であるとともに、挿入に失敗すると指を穿刺するという危険性がある。つまり、一般的に画鋲のサイズは指先よりも小さいので、互いの収納部５１０に針５０４，５０４’を挿入しようとしても、その操作は精密作業とも言え、決して容易なものではない。またこの作業は、視覚に頼る部分が大きく、視力の弱い人にとってその作業は困難を極める。
【先行技術文献】
【特許文献】
【０００７】
【特許文献１】  特開２００１−９６９８９号公報
【特許文献２】  実用新案登録第３１２８５０１号公報
【発明の概要】
【発明が解決しようとする課題】
【０００８】  したがって本発明の目的は、従来技術よりも更に安全性に優れた画鋲を提供することにある。
【課題を解決するための手段】
【０００９】  本発明は以下のとおりである。
１．以下の要件（１）〜（４）を具備する、二個の画鋲を連結させた画鋲組立体。
（１）前記画鋲は、押圧面を形成する第一の面と、針を突出させる第二の面と、前記第一の面と第二の面とを連結する胴部とを備える。
（２）前記胴部は、他方の針を収納する収納部をさらに有する。
（３）前記二個の画鋲は、前記第一の面、第二の面および胴部からなる群から選択された部分の少なくとも１箇所に、凹部または凸部を備え、前記収納部の位置の把握を容易せしめる。
（４）一方の画鋲の胴部の収納部に、他方の画鋲の針を収納することにより、二個の画鋲が連結し、前記画鋲組立体が形成される。
２．前記収納部は、前記第二の面から胴部の内部にかけて設けられている前記１に記載の画鋲組立体。
３．前記収納部は、前記第二の面の端部および胴部の端部に設けられ、外側周囲方向に向かって開放されている前記１に記載の画鋲組立体。
【発明の効果】
【００１０】  本発明によれば、視覚だけではなく、指先の感覚により、収納部の位置を感じることが出来るため、互いの収納部に針を正確かつ安全に挿入することができる。したがって本発明によれば、従来技術よりも更に安全性に優れた画鋲を提供できる。
【図面の簡単な説明】
【００１１】
【図１】  本発明の画鋲組立体における画鋲の一例を説明するための斜視図である。
【図２】  実施の形態１の画鋲組立体を人手によって実際に形成する方法の一例を説明するための図である。
【図３】  本発明の画鋲組立体における画鋲の別の例を説明するための斜視図である。
【図４】  実施の形態２の画鋲組立体を人手によって実際に形成する方法の一例を説明するための図である。
【図５】  従来技術の画鋲を説明するための斜視図である。
【図６】  特許文献２に記載の画鋲の連結体を説明するための斜視図である。
【図７】  特許文献２に記載の画鋲の連結体の形成方法を説明するための斜視図である。
【発明を実施するための形態】
【００１２】  以下、本発明を図面を参照しながら更に詳しく説明する。
実施の形態１
図１は、本発明の画鋲組立体における画鋲の一例を説明するための斜視図である。
図１（ａ）の形態において、本発明に使用される画鋲１０は、押圧面を形成する第一の面１０２と、第一の面１０２に対し直交方向に針１０４を突出させる第二の面１０６と、第一の面１０２と第二の面１０６とを連結する胴部１０８とを備えてなる。
また、胴部１０８は、第二の面１０６を介して他方の針を収納する収納部１１０をさらに有する。
さらに、画鋲１０は、第二の面１０６の対向する２箇所に収納部１１０の位置の把握を容易せしめる凹部１１２，１１２’を備える。凹部１１２，１１２’は、上記従来技術の画鋲の第二の面が円形であったのに対し、該円形の一部を切り欠いて設けたものである。凹部１１２は、収納部１１０の近くに設けられかつそれぞれ平行に設けられた１１２Ａ，１１２Ａ’と、針１０４の近くに設けられかつ１１２Ａ，１１２Ａ’との接続部からハの字に広がるようにして設けられた１１２Ｂ，１１２Ｂ’とからなる。
なお、胴部１０８は、押圧方向において針１０４の突出長Ｌよりも長いサイズを有する。
なお、図１（ａ）の形態では、第一の面１０２および第二の面１０６は平坦面として示したが、曲面であってもよい。
また、凹部１１２，１１２’は、収納部１１０の位置の把握を容易せしめるように形成されていればよく、上記形態に制限されない。
また、凹部１１２，１１２’は、第一の面、第二の面、胴部のいずれか１箇所または２箇所以上に設けてもよい。また図示していないが、凹部１１２，１１２’の替わりに凸部を形成してもよい。いずれにしても、指で画鋲を掴んだ際に、視覚によらず、指に伝わる感触により、収納部１１０と針１０４の位置関係が容易に把握できる様に凹部または凸部を設ける事が重要である。
【００１３】  次に実施の形態１の画鋲組立体の形成方法について説明する。
図１（ｂ）は、本発明の画鋲組立体の形成方法の一例を説明するための斜視図である。
図１（ｂ）の上図に示すように、まず、二個の画鋲１０，１０’を準備する。画鋲１０，１０’は、それぞれ同じ形状を有している。続いて、画鋲１０，１０’の針１０４，１０４’を対向させる。このとき、図１（ｂ）の形態では、画鋲１０’の針１０４’と、画鋲１０の収納部１１０とが向き合っている。次に、図１（ｂ）の下図に示すように、画鋲１０’の針１０４’を、画鋲１０の収納部１１０に収納し、実施の形態１の画鋲組立体が形成される。
【００１４】  上記画鋲組立体の形成方法およびその効果をさらに詳しく説明する。図２は、実施の形態１の画鋲組立体を人手によって実際に形成する方法の一例を説明するための図である。図２およびその一部拡大透視図Ｓ１に示すように、画鋲１０，１０’を両手につかみ、針１０４，１０４’を対向させると、収納部１１０，１１０’（画鋲１０’の収納部）の位置は視覚により確認するのが困難となる。しかし本発明における画鋲１０，１０’は、凹部１１２，１１２’を有しているので、左右両手の親指、人差し指、中指がこの凹部１１２，１１２’を感知することにより、作業者は収納部１１０，１１０’がどこに存在するのかを容易に把握することができる。すなわち、図２の形態において、作業者はまず左右両手の親指、人差し指、中指が凹部１１２，１１２’を感知し、さらに凹部１１２，１１２’における１１２Ａ，１１２Ａ’を把握する。１１２Ａ，１１２Ａ’はそれぞれ平行に、１１２Ｂ，１１２Ｂ’はハの字形に設けられているので該把握は容易である。必要に応じて、左右両手のいずれかが１１２Ａを上方に、他方の手が１１２Ａを下方になるように画鋲を持ち替える。この作業は、針１０４と収納部１１０’、針１０４’と収納部１１０を対向させる前準備となる。続いて、作業者は針１０４，１０４’の方向を軸として画鋲１０，１０’を回転させていくと、画鋲１０，１０’におけるそれぞれの凹部の１１２Ａ，１１２Ａ’が対面しない位置を推測できる。１１２Ａ，１１２Ａ’が対面しない位置関係において、針１０４と収納部１１０’、針１０４’と収納部１１０が対向していることになる。針１０４，１０４’のすぐ近接した位置に収納部１１０，１１０’が形成されているので、両者をゆっくりと接近させることで、収納部１１０，１１０’の中に針１０４，１０４’を正確かつ安全に収納することができる。
【００１５】実施の形態２
図３（ａ）は、本発明の画鋲組立体における画鋲の別の例を説明するための斜視図である。
この形態の画鋲は、図１に示した画鋲と比べ、収納部の形成位置が異なっている。すなわち図３の画鋲２０は、押圧面を形成する第一の面２０２と、第一の面２０２に対し直交方向に針２０４を突出させる第二の面２０６と、第一の面２０２と第二の面２０６とを連結する胴部２０８とを備えてなり、収納部２１０は、第二の面２０６および胴部２０８の端部に設けられ、矢印Ａ方向に示す外側周囲方向に向かって開放されている。
なお、実施の形態２における画鋲２０において、符号２１２，２１２’、２１２Ａ，２１２Ａ’、２１２Ｂ，２１２Ｂ’は、実施の形態１における符号１１２，１１２’、１１２Ａ，１１２Ａ’、１１２Ｂ，１１２Ｂ’とそれぞれ同じであり、詳しい説明は省略する。
【００１６】  次に実施の形態２の画鋲組立体の形成方法について説明する。
図３（ｂ）は、本発明の画鋲組立体の形成方法の一例を説明するための斜視図である。
図３（ｂ）の左図に示すように、まず、二個の画鋲２０，２０’を準備する。画鋲２０，２０’は、それぞれ同じ形状を有している。続いて、画鋲２０，２０’の針２０４，２０４’の針先を逆向きに設置する。このとき、図３（ｂ）の形態では、画鋲２０’の針２０４’と、画鋲２０の収納部２１０とが平行に向き合っている。次に、図３（ｂ）の右図に示すように、画鋲２０’の針２０４’を、画鋲２０の収納部２１０に、画鋲２０の針２０４を、画鋲２０’の収納部にそれぞれ収納し、実施の形態２の画鋲組立体が形成される。
【００１７】  上記画鋲組立体の形成方法およびその効果をさらに詳しく説明する。図４は、実施の形態２の画鋲組立体を人手によって実際に形成する方法の一例を説明するための図である。図４およびその一部拡大透視図Ｓ２に示すように、画鋲２０，２０’を両手につかみ、針２０４，２０４’の針先が逆方向になるように対向させると、収納部２１０，２１０’（画鋲２０’の収納部）の位置は視覚により確認するのが困難となる。しかし本発明における画鋲２０，２０’は、凹部２１２，２１２’を有しているので、左右両手の親指、人差し指、中指がこの凹部２１２，２１２’を感知することにより、作業者は収納部２１０，２１０’がどこに存在するのかを容易に把握することができる。すなわち、図４の形態において、作業者はまず左右両手の親指、人差し指、中指が凹部２１２，２１２’を感知し、さらに凹部２１２，２１２’における２１２Ａ，２１２Ａ’を把握する。２１２Ａ，２１２Ａ’はそれぞれ平行に、２１２Ｂ，２１２Ｂ’はハの字形に設けられているので該把握は容易である。実施の形態２では、左手でつまんでいる画鋲２０の２１２Ａ，２１２Ａ’が右手側に、右手でつまんでいる画鋲２０’の２１２Ａ，２１２Ａ’が左手側になるように、必要に応じて画鋲を持ち替える。この作業は、針２０４と収納部２１０’、針２０４’と収納部２１０をそれぞれ対向させる前準備となる。続いて作業者は両画鋲２０，２０’をゆっくりと接近させることで、収納部２１０，２１０’の中に針２０４，２０４’をそれぞれ正確かつ安全に収納することができる。
【００１８】  実施の形態２では、画鋲２０’の針２０４’を画鋲２０の収納部２１０に収納させる際、針２０４’にかかる力の方向が、針２０４’の針先方向ではなく、該針先方向に直交する方向であるので、針先を指に穿刺する危険性がさらになくなるという効果を奏する。
【符号の説明】
【００１９】  １０，１０’，２０，２０’  画鋲、１０２，２０２  第一の面、１０４，１０４’，２０４，２０４’  針、１０６，１０６’，２０６，２０６’  第二の面、１０８，２０８’  胴部、１１０，２１０  収納部、１１２，１１２’，２１２，２１２’  凹部。
【図１】
2010260326.tif 000003
【図２】
2010260326.tif 000004
【図３】
2010260326.tif 000005
【図４】
2010260326.tif 000006
【図５】
2010260326.tif 000007
【図６】
2010260326.tif 000008
【図７】
2010260326.tif 000009